(57)【要約】【課題】柔軟な提供条件で電力を提供することができる電気機器、電力管理装置、電力管理システム、電力管理方法、及びプログラムを提供する。【解決手段】供給条件取得部は電力の供給条件を示す供給条件情報を取得し、識別情報取得部は顧客を識別し、切替部は顧客識別情報を取得し、供給条件情報が示す供給条件で電力供給の可否を制御する。本発明は、電気機器、電力管理装置、電力管理システム、電力管理方法、及びプログラムとしても実施可能である。【選択図】図２
2016081070.tif 000002
【特許請求の範囲】
【請求項１】
電力の供給条件を示す供給条件情報を取得する供給条件取得部と、
顧客を識別する顧客識別情報を取得する識別情報取得部と、
前記供給条件情報が示す供給条件で電力供給の可否を制御する切替部と、
を備える電気機器。
【請求項２】
前記供給条件情報と前記顧客識別情報を、当該顧客識別情報及び当該供給条件情報に基づいて電力供給の可否を判定する電力管理装置に送信する顧客情報処理部を備え、
前記切替部は、前記電力管理装置から電力供給の可否を示す供給可否情報を受信し、前記供給可否情報に基づいて電力供給の可否を制御する請求項１に記載の電気機器。
【請求項３】
前記識別情報取得部は、消費電力量を計測する計測装置から前記顧客識別情報に対応した供給条件情報を取得し、
前記供給条件取得部が取得した供給条件情報と前記識別情報取得部が取得した供給条件情報とを照合して電力供給の可否を判定する判定部、
を備える請求項１又は請求項２に記載の電気機器。
【請求項４】
前記識別情報取得部は、自機の消費電力量を計測する計測装置を示す計測装置識別情報を取得し、
前記計測装置識別情報を前記顧客識別情報と対応付けて前記消費電力量に基づいて使用料金を算出する電力管理装置に送信する顧客情報処理部
を備える請求項１から請求項３のいずれか１項に記載の電気機器。
【請求項５】
電力消費量を計測する計測装置から機器毎の消費電力量を示す電力量情報を受信し、所定時間毎に累積した消費電力量を、前記消費電力量に基づいて使用料金を算出する電力管理装置に送信する電力量処理部、
を備える請求項１から請求項４のいずれか１項に記載の電気機器。
【請求項６】
顧客を識別する顧客識別情報毎に電力の供給条件を示す供給条件情報が対応付けられた顧客データを記憶するデータ記憶部と、
電気機器から受信した顧客識別情報に対応する供給条件情報を前記顧客データから選択し、選択した供給条件情報と受信した供給条件情報とを照合し、前記電気機器への前記供給条件情報が示す供給条件での電力供給の可否を制御する判定部と、
を備える電力管理装置。
【請求項７】
前記電力供給を許可した電気機器の消費電力量を示す電力量情報を取得し、前記電力量情報を前記供給条件情報と対応付けて前記データ記憶部に記憶する電力量取得部と
を備える請求項６に記載の電力管理装置。
【請求項８】
前記電力量取得部は、前記消費電力量を計測する計測装置を示す計測装置識別情報と対応付けて前記電力量情報を前記データ記憶部に記憶する請求項７に記載の電力管理装置。
【請求項９】
電気機器と電力管理装置とを備える電力管理システムであって、
前記電気機器は、
電力の供給条件を示す供給条件情報を取得する供給条件取得部と、
顧客を識別する顧客識別情報を取得する識別情報取得部と、
前記供給条件情報が示す供給条件で電力供給の可否を制御する切替部と、
を備え、
前記電力管理装置は、
前記顧客識別情報、前記電気機器を示す機器識別情報、及び前記電気機器が消費した消費電力量を示す電力量情報と、を対応付けて記憶するデータ記憶部と、
前記電力量情報を取得する電力量取得部と、
を備える電力管理システム。
【請求項１０】
電気機器における電力管理方法であって、
電力の供給条件を示す供給条件情報を取得する供給条件取得過程と、
顧客を識別する顧客識別情報を取得する識別情報取得過程と、
前記供給条件情報が示す供給条件で電力供給の可否を制御する切替過程と、
を有する電力管理方法。
【請求項１１】
電力管理装置における電力管理方法であって、
データ記憶部に記憶された、顧客を識別する顧客識別情報毎に電力の供給条件を示す供給条件情報が対応付けられた顧客データから、電気機器から受信した顧客識別情報に対応する供給条件情報を選択し、選択した供給条件情報と受信した供給条件情報とを照合し、前記電気機器への前記供給条件情報が示す供給条件での電力供給の可否を制御する判定過程、
を有する電力管理方法。
【請求項１２】
電気機器のコンピュータに、
電力の供給条件を示す供給条件情報を取得する供給条件取得手順、
顧客を識別する顧客識別情報を取得する識別情報取得手順、
前記供給条件情報が示す供給条件で電力供給の可否を制御する切替手順、
を実行させるためのプログラム。
【請求項１３】
電力管理装置のコンピュータに、
データ記憶部に記憶された、顧客を識別する顧客識別情報毎に電力の供給条件を示す供給条件情報が対応付けられた顧客データから、電気機器から受信した顧客識別情報に対応する供給条件情報を選択し、選択した供給条件情報と受信した供給条件情報とを照合し、前記電気機器への前記供給条件情報が示す供給条件での電力供給の可否を制御する判定手順、
を実行させるためのプログラム。
【発明の詳細な説明】
【技術分野】
【０００１】
本発明は、電気機器、電力管理装置、電力管理システム、電力管理方法、及びプログラムに関する。
【背景技術】
【０００２】
従来、電力を使用する顧客は、予め定めた電力会社と契約し、契約先の電力会社の配電網を介して電力の供給を受けていた。また、各顧客の住戸には消費電力量を計測する電力量計が設置され、電力量計が指示する消費電力量を、電力会社の検針員が月毎に検査し、電力会社は検査した消費電力量に基づいて算出した電力料金を当該顧客に請求することが通例であった。
【０００３】
情報通信技術の発達や電力小売市場の自由化に伴い、様々な電力の提供形態が提案されている。例えば、特許文献１に記載の電力料金管理システムでは、読み書き可能なカードに期間内に使用可能な電力などの顧客との契約内容を記録し、電力の使用の際には該カードから消費電力量に応じた電力料金を差し引く。残額が所定値になった際には、電力の供給を停止する、もしくは顧客は送電を継続してもらうかを判断し決定できる場面が設けられている。つまり、該電力料金管理システムは、該カードを装着可能な電力遮断装置を備え、装着されたカードに残量が所定値に達するまでに電力が供給され、残量が所定値に達したときや、該カードが着脱されたときに電力の供給が遮断される。
【先行技術文献】
【特許文献】
【０００４】
【特許文献１】特開２００７−１８９７９０号公報
【発明の概要】
【発明が解決しようとする課題】
【０００５】
しかしながら、特許文献１に記載の電力管理システムは、予め定めた電力会社との間で電力を供給するか否かを制御するが、顧客や電気機器の製造者、販売者が電力会社、その他の電力の供給条件を任意に選択できるものではない。
【０００６】
本発明は、上記の課題に基づいてなされたものであり、より柔軟な供給条件で電力を提供することができる電気機器、電力管理装置、電力管理システム、電力管理方法、及びプログラムを提供することを目的としている。
【課題を解決するための手段】
【０００７】
上記の課題を解決するため、本発明の一態様は、電力の供給条件を示す供給条件情報を取得する供給条件取得部と、顧客を識別する顧客識別情報を取得する識別情報取得部と、前記供給条件情報が示す供給条件で電力供給の可否を制御する切替部と、を備える電気機器である。
【０００８】
また、本発明の一態様は、上述の電気機器であって、前記供給条件情報と前記顧客識別情報を、当該顧客識別情報及び当該供給条件情報に基づいて電力供給の可否を判定する電力管理装置に送信する顧客情報処理部を備え、前記切替部は、前記電力管理装置から電力供給の可否を示す供給可否情報を受信し、前記供給可否情報に基づいて電力供給の可否を制御する。
【０００９】
また、本発明の一態様は、上述の電気機器であって、前記識別情報取得部は、消費電力量を計測する計測装置から前記顧客識別情報に対応した供給条件情報を取得し、前記供給条件取得部が取得した供給条件情報と前記識別情報取得部が取得した供給条件情報とを照合して電力供給の可否を判定する判定部、を備える。
【００１０】
また、本発明の一態様は、上述の電気機器であって、前記識別情報取得部は、自機の消費電力量を計測する計測装置を示す計測装置識別情報を取得し、前記計測装置識別情報を前記顧客識別情報と対応付けて前記消費電力量に基づいて使用料金を算出する電力管理装置に送信する顧客情報処理部、を備える。
【００１１】
また、本発明の一態様は、上述のいずれかの電気機器であって、電力消費量を計測する計測装置から機器毎の消費電力量を示す電力量情報を受信し、所定時間毎に累積した消費電力量を、前記消費電力量に基づいて使用料金を算出する電力管理装置に送信する電力量処理部、を備える。
【００１２】
また、本発明の一態様は、顧客を識別する顧客識別情報毎に電力の供給条件を示す供給条件情報が対応付けられた顧客データを記憶するデータ記憶部と、電気機器から受信した顧客識別情報に対応する供給条件情報を前記顧客データから選択し、選択した供給条件情報と受信した供給条件情報とを照合し、前記電気機器への前記供給条件情報が示す供給条件での電力供給の可否を制御する判定部と、を備える電力管理装置である。
【００１３】
また、本発明の一態様は、上述の電力管理装置であって、前記電力供給を許可した電気機器の消費電力量を示す電力量情報を取得し、前記電力量情報を前記供給条件情報と対応付けて前記データ記憶部に記憶する電力量取得部、を備える。
【００１４】
また、本発明の一態様は、上述の電力管理装置であって、前記電力量取得部は、前記消費電力量を計測する計測装置を示す計測装置識別情報と対応付けて前記電力量情報を前記データ記憶部に記憶する。
【００１５】
また、本発明の一態様は、電気機器と電力管理装置とを備える電力管理システムであって、前記電気機器は、電力の供給条件を示す供給条件情報を取得する供給条件取得部と、顧客を識別する顧客識別情報を取得する識別情報取得部と、前記供給条件情報が示す供給条件で電力供給の可否を制御する切替部と、を備え、前記電力管理装置は、前記顧客識別情報、前記電気機器を示す機器識別情報、及び前記電気機器が消費した消費電力量を示す電力量情報と、を対応付けて記憶するデータ記憶部と、前記電力量情報を取得する電力量取得部と、を備える電力管理システムである。
【００１６】
また、本発明の一態様は、電気機器における電力管理方法であって、電力の供給条件を示す供給条件情報を取得する供給条件取得過程と、顧客を識別する顧客識別情報を取得する識別情報取得過程と、前記供給条件情報が示す供給条件で電力供給の可否を制御する切替過程と、を有する電力管理方法である。
【００１７】
また、本発明の一態様は、電力管理装置における電力管理方法であって、データ記憶部に記憶された、顧客を識別する顧客識別情報毎に電力の供給条件を示す供給条件情報が対応付けられた顧客データから、電気機器から受信した顧客識別情報に対応する供給条件情報を選択し、選択した供給条件情報と受信した供給条件情報とを照合し、前記電気機器への前記供給条件情報が示す供給条件での電力供給の可否を制御する判定過程、を有する電力管理方法である。
【００１８】
また、本発明の一態様は、電気機器のコンピュータに、電力の供給条件を示す供給条件情報を取得する供給条件取得手順、顧客を識別する顧客識別情報を取得する識別情報取得手順、前記供給条件情報が示す供給条件で電力供給の可否を制御する切替手順、を実行させるためのプログラムである。
【００１９】
また、本発明の一態様は、電力管理装置のコンピュータに、データ記憶部に記憶された、顧客を識別する顧客識別情報毎に電力の供給条件を示す供給条件情報が対応付けられた顧客データから、電気機器から受信した顧客識別情報に対応する供給条件情報を選択し、選択した供給条件情報と受信した供給条件情報とを照合し、前記電気機器への前記供給条件情報が示す供給条件での電力供給の可否を制御する判定手順、を実行させるためのプログラムである。
【発明の効果】
【００２０】
本発明によれば、より柔軟な供給条件で電力を提供することができる。
【図面の簡単な説明】
【００２１】
【図１】第１の実施形態に係る電力管理システムの構成を示した概略ブロック図である。
【図２】第１の実施形態に係る電気機器の構成を示す概略ブロック図である。
【図３】カードの例を示す平面図である。
【図４】第１の実施形態に係るＨＥＭＳコントローラの構成を示す概略ブロック図である。
【図５】第１の実施形態に係るクラウドサーバの構成を示す概略ブロック図である。
【図６】顧客データの一例を示す模式図である。
【図７】顧客管理データの一例を示す模式図である。
【図８】第１の実施形態に係る顧客情報処理を示すフローチャートである。
【図９】第１の実施形態に係る電力量情報処理を示すフローチャートである。
【図１０】第２の実施形態に係る電力管理システムの構成を示す概略ブロック図である。
【図１１】第２の実施形態に係る電気機器の構成を示す概略ブロック図である。
【図１２】第２の実施形態に係るスマートメーターの構成を示す概略ブロック図である。
【図１３】第２の実施形態に係るクラウドサーバの構成を示す概略ブロック図である。
【図１４】第２の実施形態に係る顧客情報処理を示すフローチャートである。
【図１５】第３の実施形態に係る電力管理システムの構成を示すブロック図である。
【図１６】第３の実施形態に係る電気機器の構成を示す概略ブロック図である。
【図１７】顧客データの一例を示す模式図である。
【図１８】顧客管理データの一例を示す模式図である。
【図１９】第４の実施形態に係る電力管理システムの構成を示すブロック図である。
【発明を実施するための形態】
【００２２】
＜第１の実施形態＞
以下、本発明の第１の実施形態について、図面を参照して説明する。電力の供給条件とは、顧客への電力の供給に係る条件、例えば、電力事業者、電力事業者が顧客に請求する料金の料金体系、顧客に提供する電力の電圧（契約電圧）、その電力の電流（契約電流）、等を意味する。顧客とは、供給された電力を消費する需要家を意味する。以下の説明では、主に電力の供給条件が、需要家への電力供給に係る電力事業者であり、顧客が一般家庭もしくは小規模事業者の構成員である場合を例にする。また、電力事業者とは、水力発電、火力発電などを業とする発電会社、電力を送配する送配電会社、電力を小売りする小売会社、又は、これらの事業を一括して行う電力会社など、様々な形態もしくは組織の事業者を意味する。以下の説明では、需要家への電力の供給形態、組織体制に関わらず、電力事業者を「電力会社」と呼ぶ。また、以下の説明においては、電力管理システムによる各種の情報（データ、信号）の送受信、処理に関して、「電力会社」とは、その電力会社による料金の収納に係る電力料金サーバ、その他のサーバ装置を意味することがある。
【００２３】
図１は、第１の実施形態に係る電力管理システム１の構成を示す概略ブロック図である。
電力管理システム１は、電気機器１１、ＨＥＭＳ（Ｈｏｍｅ  Ｅｎｅｒｇｙ  Ｍａｎａｇｅｍｅｎｔ  Ｓｙｓｔｅｍ（住宅向けエネルギー管理システム、「ヘムス」ということがある）コントローラ２１、スマートメーター３１、ＨＧＷ（Ｈｏｍｅ  Ｇａｔｅｗａｙ、ホームゲートウェイ）３２、クラウドサーバ４１、及び電力会社サーバ４２を含んで構成される。
【００２４】
電気機器１１は、顧客が使用する機器であって、配電網７１から供給された電力を消費する機器である。電気機器１１は、例えば、空調機（エアコン）、テレビジョン受信機、電気洗濯機、電気冷蔵庫、電気掃除機、等の家庭用電気機器又は業務用電気機器の総称である。電気機器１１は、スマートメーター３１から各顧客を識別する顧客ＩＤ（Ｉｄｅｎｔｉｆｉｅｒ）を受信することができる。また、電気機器１１は、自機へ電力を供給する電力会社ＩＤと自機の機器ＩＤとを取得可能にされている。電気機器１１は、受信した顧客ＩＤ、電力会社ＩＤ及び機器ＩＤを対応付けて形成した顧客情報をクラウドサーバ４１に送信する。電気機器１１は、電力会社ＩＤにより識別される電力会社からの電力供給の許可（ＯＮ）又は制限（ＯＦＦ）を示す供給可否情報を、クラウドサーバ４１から受信する。電気機器１１は、受信した供給可否情報に基づいて配電網７１から電力供給を受けて動作を開始するか否かを判定する。
【００２５】
ＨＥＭＳコントローラ２１は、スマートメーター３１が計測した電気機器１１の消費電力量を示す電力量情報を蓄積する。ＨＥＭＳコントローラ２１は、蓄積した電力量情報を予め定めた第２の時間間隔（例えば、１日）でクラウドサーバ４１に送信する。
スマートメーター３１には、予め顧客ＩＤが設定されている。なお、スマートメーター３１自体を識別する機器識別情報（スマートメーターＩＤ）が顧客ＩＤとして用いられてもよい。スマートメーター３１は、ＨＧＷ３２の配下の第１ネットワーク５１に接続された電気機器１１の消費電力量を計測し、計測した消費電力量を示す電力量情報と顧客ＩＤを対応付けて予め定めた第１の時間間隔（例えば、３０分）でＨＥＭＳコントローラ２１に送信する。
【００２６】
ＨＧＷ３２は、第１ネットワーク５１及び第２ネットワーク６１に接続され、第１ネットワーク５１に接続された機器と第２ネットワーク６１に接続された機器との間の各種のデータを中継する。ＨＧＷ３２は、例えば、ルータ等のゲートウェイ装置である。
電気機器１１、ＨＥＭＳコントローラ２１、スマートメーター３１、及びＨＧＷ３２は、第１ネットワーク５１を介して接続され、相互にデータを送信及び受信することができる。第１ネットワーク５１は、有線であっても無線であってもよい。第１ネットワーク５１は、例えば、構内通信網（ＬＡＮ：Ｌｏｃａｌ  Ａｒｅａ  Ｎｅｔｗｏｒｋ）である。電気機器１１、ＨＥＭＳコントローラ２１、スマートメーター３１、及びＨＧＷ３２、相互間のデータの送受信は、所定の通信規格、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ／ｂ／ｇ／ｎに則って行うことができる。
【００２７】
クラウドサーバ４１には、各顧客の顧客ＩＤと、その顧客との契約に係る電力会社ＩＤとを対応付けて形成された顧客データが記憶されている。クラウドサーバ４１は、電気機器１１から顧客情報を受信し、受信した顧客情報に含まれる電力会社ＩＤと、顧客データに含まれる電力会社ＩＤとを照合し、両者が合致するか否かにより、電気機器１１に、その電力会社ＩＤが示す電力会社からの電力供給を許可するか又は制限するかを判定する。クラウドサーバ４１は、電力供給の許可又は制限を示す供給可否情報を電気機器１１に送信する。
【００２８】
クラウドサーバ４１は、ＨＥＭＳコントローラ２１から受信した電力量情報を蓄積し、その時点までの予め定めた第３の時間間隔（例えば、１箇月）内に蓄積した電力量情報を顧客ＩＤ及び機器ＩＤ毎に集約する。クラウドサーバ４１は、集約した電力量情報に基づいて対応する電力会社ＩＤに係る所定の料金体系を用いて顧客ＩＤ毎に使用料金を算出する。クラウドサーバ４１は、集約した電力量情報と使用料金を示す料金情報を電力会社サーバ４２に送信する。
なお、クラウドサーバ４１は、特定の電力会社により管理されてもよいし、複数の電力会社により共同管理されてもよいし、電力会社から独立した組織により管理されてもよい。
【００２９】
電力会社サーバ４２は、個々の電力会社が管理するサーバ装置である。電力会社サーバ４２は、クラウドサーバ４１から受信した電力量情報と料金情報を顧客ＩＤ毎に記憶する。電力会社サーバ４２の管理の下で、顧客ＩＤ毎の電力量情報と料金情報は、顧客ＩＤが示す顧客への料金請求や、収納状況の管理に用いられる。
【００３０】
ＨＧＷ３２、クラウドサーバ４１、及び電力会社サーバ４２は、第２ネットワーク６１を介して接続され、相互にデータを送信及び受信することができる。第２ネットワーク６１は、有線であっても無線であってもよい。第２ネットワーク６１は、例えば、インターネット、公衆無線通信網（ＰＬＭＮ：Ｐｕｂｌｉｃ  Ｌａｎｄ  Ｍｏｂｉｌｅ  Ｎｅｔｗｏｒｋ）、等の広域通信網（ＷＡＮ：Ｗｉｄｅ  Ａｒｅａ  Ｎｅｔｗｏｒｋ）を含んで構成される。
配電網７１は、電力会社から供給された電力を各需要家の住戸、事業所、その他の消費地に供給する電力網である。図１に示す例では、配電網７１は、電気機器１１に接続される。配電網７１は、必ずしも電力会社ＩＤが示す電力会社により電力を供給するものではなくてもよく、特定の一社の発電設備から電力を供給してもよい。その場合には、電力を供給する電力会社と電力会社ＩＤが示す電力会社との間の契約に従って、顧客に対して電力会社ＩＤが示す電力会社が電力を供給したものとみなされるようにしてもよい。
【００３１】
（電気機器）
次に、本実施形態に係る電気機器１１の構成について説明する。
図２は、本実施形態に係る電気機器１１の構成を機能面で示す概略ブロック図である。
電気機器１１は、顧客情報処理部１１１、読取部１１２、識別情報取得部１１３、通信部１１４、切替部１１５、及び機能部１１６を備える。電気機器１１は、その他に図示しない制御部及び記憶部を備える。制御部は、例えば、ＣＰＵ（Ｃｅｎｔｒａｌ  Ｐｒｏｃｅｓｓｉｎｇ  Ｕｎｉｔ）である。記憶部は、各種のデータを記憶する記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、又はそれらの組み合わせを含んで構成される。記憶部は、ＣＰＵで実行される各種のプログラム、ＣＰＵで実行される処理に用いられる各種のデータ、ＣＰＵで実行された処理により生成されたデータを記憶する。制御部は、記憶部に記憶されているプログラムを実行することにより、顧客情報処理部１１１、読取部１１２、識別情報取得部１１３、及び切替部１１５の全部又は一部の機能を実現する。
【００３２】
電気機器１１の構成部（顧客情報処理部１１１、等）が、クラウドサーバ４１を送信先として各種のデータを送信する場合、当該構成部は、通信部１１４とＨＧＷ３２を経由して当該データをクラウドサーバ４１に送信する。以下の説明では、当該構成部がクラウドサーバ４１を送信先として送信することを、単に「クラウドサーバ４１に送信する」と呼ぶことがある。また、電気機器１１の構成部がクラウドサーバ４１から各種のデータを受信する場合、当該構成部は、クラウドサーバ４１からＨＧＷ３２と通信部１１４を経由して当該データを受信する。以下の説明では、当該構成部がクラウドサーバ４１を送信元として受信することを、単に「クラウドサーバ４１から受信する」と呼ぶことがある。
【００３３】
顧客情報処理部１１１には、読取部１１２から電力会社ＩＤが入力され、記憶部に記憶された自装置の機器ＩＤを読み取る。また、顧客情報処理部１１１には、識別情報取得部１１３から顧客ＩＤが入力される。顧客情報処理部１１１は、機器ＩＤ、電力会社ＩＤ、及び顧客ＩＤを対応付けて顧客情報を生成し、生成した顧客情報をクラウドサーバ４１に送信する。また、顧客情報処理部１１１は、入力された電力会社ＩＤと読み取った機器ＩＤをＨＥＭＳコントローラ２１に送信する。顧客情報処理部１１１は、ＨＥＭＳコントローラ２１から機器ＩＤ要求信号を受信したことに応じて、電力会社ＩＤと機器ＩＤをＨＥＭＳコントローラ２１に送信してもよい。
【００３４】
読取部１１２には、記憶された情報を読み取り可能なカードが装着可能である。読取部１１２は、挿入されたカードを固定し、操作により固定されたカードを着脱する固定具（図示せず）を備える。読取部１１２は、電気機器１１の筐体に設けられ、ユーザによる電気機器１１の使用に際してカードが装着される。読取部１１２は、装着されたカードから電力会社ＩＤを読み取り、読み取った電力会社ＩＤを顧客情報処理部１１１に出力する。読取部１１２は、例えば、カードスロットである。なお、読取部１１２は、カードが装着されていない場合には、装着されていないことを示す未装着信号を生成し、生成した未装着信号を切替部１１５に出力する。
【００３５】
識別情報取得部１１３は、スマートメーター３１から通信部１１４を介して顧客ＩＤを受信し、受信した顧客ＩＤを顧客情報処理部１１１に出力する。
通信部１１４は、他の機器との間でデータを送信及び受信する。通信部１１４は、例えば、通信インタフェースである。
【００３６】
切替部１１５には、クラウドサーバ４１から供給可否情報を受信する。切替部１１５は、供給可否情報が許可（ＯＮ）を示すとき、配電網７１と機能部１１６との間を電気的に接続して導通状態（ＯＮ）とする。導通状態（ＯＮ）では、配電網７１からの電力が機能部１１６に供給される。切替部１１５は、供給可否情報が制限（ＯＦＦ）を示すとき、配電網７１と機能部１１６との間を電気的に絶縁して絶縁状態（ＯＦＦ）とする。絶縁状態では、配電網７１からの電力の供給が制限される。これにより、ユーザとして顧客ＩＤが示す顧客による使用に際し、電力会社ＩＤが示す電力会社による電力の供給を行うか否かが制御される。
なお、切替部１１５に読取部１１２から未装着信号が入力される場合には、供給可能情報を受信したか否か、および、受信した供給可能情報が許可（ＯＮ）を示すか否かにかかわらず、配電網７１と機能部１１６との間を絶縁状態（ＯＦＦ）とする。従って、カードが読取部１１２に装着されていない場合には、電力が機能部１１６に供給されない。
【００３７】
機能部１１６は、配電網７１から供給された電力によって作動する電気機器１１の主たる機能を実現する。例えば、電気機器１１が空調機である場合には、主たる機能は、室内の温度を所定の温度に調節することである。電気機器１１がテレビジョン受像機である場合には、主たる機能は、到来した放送波を受信し、受信した放送波から放送番組の映像データを抽出し、抽出した映像データに基づく映像をディスプレイに表示することである。
【００３８】
なお、機能部１１６以外の構成、例えば、顧客情報処理部１１１、読取部１１２、識別情報取得部１１３、通信部１１４、及び切替部１１５は、配電網７１とは別個の電源、例えば、電気機器１１内蔵の電池（図示せず）から供給された電力によって動作してもよい。顧客情報処理部１１１、読取部１１２、識別情報取得部１１３、通信部１１４、及び切替部１１５の消費電力は、機能部１１６の消費電力と比較して無視できる程度に少ないためである。
【００３９】
（カード）
次に、電力会社ＩＤを記憶したカードの例について説明する。
図３は、カードの例（カード１６）を示す平面図である。図３に示す例では、カード１６は、予め電力会社ＩＤが記憶された記憶素子１６１を備える。カード１６は、その概形が長方形である主面を有する平板状の形状を有する。４つの頂点のうちの１つの頂点には、その頂点を挟む２辺に斜めに交差する第１切欠部１６２が形成されている。第１切欠部１６２により、装着方向の誤りを防止することができる。また、４辺のうちの１辺には、その辺に対して、ほぼ半円形に凹んだ第２切欠部１６３が形成されている。カード１６は、第２切欠部１６３と、ほぼ円形の凸部を有する留め具（図示せず）と嵌め合わされることにより読取部１１２に固定される。また、カード１６は、当該留め具が取り外されることにより読取部１１２から着脱される。
【００４０】
（ＨＥＭＳコントローラ）
次に、ＨＥＭＳコントローラ２１の構成について説明する。
図４は、本実施形態に係るＨＥＭＳコントローラ２１の構成を示す概略ブロック図である。
ＨＥＭＳコントローラ２１は、機器設定部２１１、電力量処理部２１２、データ記憶部２１３、及び通信部２１４を備える。ＨＥＭＳコントローラ２１は、その他に図示しない制御部を備える。制御部は、例えば、ＣＰＵである。データ記憶部２１３は、例えば、ＨＤＤ、フラッシュメモリ、ＲＯＭ、ＲＡＭ、又はそれらの組み合わせである。データ記憶部２１３は、ＣＰＵで実行される各種のプログラム、ＣＰＵで実行される処理に用いられる各種のデータ、ＣＰＵで実行された処理により生成されたデータを記憶する。制御部は、データ記憶部２１３に記憶されているプログラムを実行することにより、機器設定部２１１及び電力量処理部２１２の機能を実現する。
【００４１】
機器設定部２１１は、電力量情報の集積対象となる電気機器１１の機器ＩＤと、電気機器１１に電力を供給する電力会社の電力会社ＩＤを取得し、これらを対応付けてデータ記憶部２１３に記憶する。機器設定部２１１は、機器ＩＤ要求信号を電気機器１１に送信し、機器ＩＤ要求信号の返信として、電気機器１１から機器ＩＤと電力会社ＩＤを、通信部２１４を介して受信してもよい。
電力量処理部２１２は、スマートメーター３１から通信部２１４を介して機器毎の電力量情報と機器ＩＤを受信し、受信した電力量情報をデータ記憶部２１３に記憶する。データ記憶部２１３には、電力量情報が機器毎にその機器ＩＤ、電力会社ＩＤを対応付けて累積する。電力量処理部２１２は、その時点までの第２の時間間隔内に消費された消費電力量を算出し、算出した消費電力量を示す電力量情報を生成する。電力量処理部２１２は、生成した電力量情報を、機器ＩＤ、電力会社ＩＤ及び顧客ＩＤと対応付けて第２の時間間隔で通信部２１４を介してクラウドサーバ４１に送信する。
通信部２１４は、他の機器との間でデータを送信及び受信する。通信部２１４は、例えば、通信インタフェースである。
【００４２】
（クラウドサーバ）
次に、クラウドサーバ４１の構成について説明する。
図５は、本実施形態に係るクラウドサーバ４１の構成を示す概略ブロック図である。
クラウドサーバ４１は、顧客情報取得部４１１、起動判定部４１２、電力量取得部４１３、料金算出部４１４、データ提供部４１５、データ記憶部４１６、及び通信部４１７を備える。クラウドサーバ４１は、その他に図示しない制御部を備える。制御部は、例えば、ＣＰＵである。データ記憶部４１６は、例えば、ＨＤＤ、フラッシュメモリ、ＲＯＭ、ＲＡＭ、又はそれらの組み合わせで構成される記憶媒体を含んで構成される。データ記憶部４１６は、ＣＰＵで実行される各種のプログラム、ＣＰＵで実行される処理に用いられる各種のデータ、ＣＰＵで実行された処理により生成されたデータを記憶する。制御部は、データ記憶部４１６に記憶されているプログラムを実行することにより、顧客情報取得部４１１、起動判定部４１２、電力量取得部４１３、料金算出部４１４、及びデータ提供部４１５の機能を実現する。
【００４３】
クラウドサーバ４１の構成部（顧客情報取得部４１１、等）が、電気機器１１を送信先として各種のデータを送信する場合、当該構成部は、ＨＧＷ３２と通信部４１７を経由して当該データを電気機器１１に送信する。以下の説明では、当該構成部が電気機器１１を送信先として送信することを、単に「電気機器１１に送信する」と呼ぶことがある。また、クラウドサーバ４１の構成部が電気機器１１から各種のデータを受信する場合、当該構成部は、電気機器１１からＨＧＷ３２と通信部４１７を経由して当該データを受信する。以下の説明では、当該構成部が電気機器１１を送信元として受信することを、単に「電気機器１１から受信する」と呼ぶことがある。
【００４４】
顧客情報取得部４１１は、電気機器１１から顧客情報を受信し、受信した顧客情報を起動判定部４１２に出力する。
起動判定部４１２は、顧客情報取得部４１１から入力された顧客情報から電力会社ＩＤと顧客ＩＤを抽出し、データ記憶部４１６に記憶された顧客データに含まれる顧客ＩＤを検索する。起動判定部４１２は、顧客データにおいて、その顧客ＩＤに対応付けられた電力会社ＩＤとのそれぞれと抽出した電力会社ＩＤを照合し、抽出した電力会社ＩＤと合致する電力会社ＩＤの有無を判定する。顧客データの例については、後述する。合致する電力会社ＩＤがあると判定したとき、起動判定部４１２は、抽出した電力会社ＩＤが示す電力会社から機器ＩＤが示す電気機器１１への電力供給を許可（ＯＮ）すると判定し、合致する電力会社ＩＤがないと判定したとき、その電力会社からの電力供給を制限（ＯＦＦ）すると判定する。起動判定部４１２は、その電力会社からの電気機器１１への電力供給の許可又は制限を示す供給可否情報を電気機器１１に送信する。
【００４５】
電力量取得部４１３は、通信部４１７を介してＨＥＭＳコントローラ２１から機器ＩＤ、電力会社ＩＤ及び顧客ＩＤと対応付けて電力量情報を受信し、データ記憶部４１６に記憶する。データ記憶部４１６には、電力量情報が顧客ＩＤ毎に、機器ＩＤならびに電力会社ＩＤを対応付けて集積される。
料金算出部４１４は、その時点までの第３の時間間隔内に各電気機器が消費した消費電力量に基づいて、電力会社ＩＤに対応した料金体系を用いて顧客ＩＤ毎に使用料金を算出する。料金体系は、例えば、消費電力量に応じた従量制又は消費電力量に依存しない定額制である。料金体系が従量制である場合には、さらに、消費電力量に依存しない基本料金と、消費電力量の単位当たりの従量料金が定められている。従量料金は、日時、契約電流、契約電圧、等の諸条件によって異なることがある。料金算出部４１４は、算出した使用料金を示す料金情報を顧客ＩＤ毎にデータ記憶部４１６に記憶する。なお、料金算出部４１４は、機器ＩＤ毎に料金を算出し、算出した料金を顧客ＩＤ毎に合算することで、顧客ＩＤ毎の使用料金を算出してもよい。その場合、料金算出部４１４は、算出した使用料金を示す料金情報を、顧客ＩＤに対応付けられた機器ＩＤ及び電力会社ＩＤと対応付けてデータ記憶部４１６に記憶してもよい。データ記憶部４１６には、これらの情報を含む顧客管理データが形成される。顧客管理データの例については、後述する。
【００４６】
データ提供部４１５は、データ記憶部４１６に記憶された顧客管理データから、電力会社ＩＤ毎にユーザＩＤ、機器ＩＤ、電力量情報及び料金情報を抽出する。データ提供部４１５は、抽出したユーザＩＤ、機器ＩＤ、電力量情報及び料金情報を、通信部４１７を介して、その電力会社ＩＤが示す電力会社の電力会社サーバ４２に送信する。
通信部４１７は、他の機器との間でデータを送信ならびに受信する。通信部４１７は、例えば、通信インタフェースである。
【００４７】
（顧客データ）
次に顧客データの例について説明する。図６は、顧客データの一例を示す模式図である。
顧客データは、顧客ＩＤ、機器ＩＤ、電力会社ＩＤ、及び電力量情報を含んで構成される。電力量情報は、機器ＩＤが示す機器が消費した消費電力量を示す情報である。各顧客ＩＤには、機器ＩＤ、電力会社ＩＤ及び電力量情報を含む情報のセットが対応付けられている。各セットには、機器ＩＤ、電力会社ＩＤ及び電力量情報が対応付けられている。
図６に示す例では、顧客ＩＤ１は、機器ＩＤ１１及び機器ＩＤ１２に対応付けられている。機器ＩＤ１１は、電力会社ＩＤ１１及び消費電力量１１に対応付けられ、機器ＩＤ１２は、電力会社ＩＤ１２及び消費電力量１２に対応付けられている。
【００４８】
（顧客管理データ）
次に顧客管理データの例について説明する。
図７は、顧客管理データの一例を示す模式図である。
顧客管理データは、顧客ＩＤ、機器ＩＤ、電力会社ＩＤ、電力量情報、料金情報、及び制限機能情報を含んで構成される。料金情報は、消費電力量に応じて算出された使用料金を示す情報である。制限機能情報は、電力会社による電力供給の際に制限される電気機器１１の機能を示す情報である。例えば、制限機能情報は、電気機器１１の主たる機能、電気機器１１の付加機能、等を示す。例えば、電気機器１１が、空調機である場合には、主たる機能は温度調節（暖房、冷房）である、付加機能は除湿である。
各顧客ＩＤには、機器ＩＤ、電力会社ＩＤ、電力量情報、料金情報、及び制限機能情報を含む情報のセットが対応付けられている。各セットには、機器ＩＤ、電力会社ＩＤ、電力量情報、料金情報及び制限機能情報が対応付けられている。
図７に示す例では、顧客ＩＤ１は、機器ＩＤ１１及び機器ＩＤ１２に対応付けられている。機器ＩＤ１１は、電力会社ＩＤ１１、消費電力量１１、使用料金１１、及び制限機能１１に対応付けられ、機器ＩＤ１２は、電力会社ＩＤ１２、消費電力量１２、使用料金１２、及び制限機能１２に対応付けられている。
【００４９】
（顧客情報処理）
次に、本実施形態に係る顧客情報処理について説明する。
図８は、本実施形態に係る顧客情報処理を示すフローチャートである。
（ステップＳ１０１）電気機器１１の読取部１１２は、自部にカード（図３）が装着されたことを検出し、装着されたカードから電力会社ＩＤを読み取る。その後、ステップＳ１０２に進む。
（ステップＳ１０２）電気機器１１の識別情報取得部１１３は、スマートメーター３１から顧客ＩＤを受信する。その後、ステップＳ１０３に進む。
（ステップＳ１０３）電気機器１１の顧客情報処理部１１１は、記憶部から自装置の機器ＩＤを読み取り、受信した顧客ＩＤ、読み取った顧客ＩＤ、及び機器ＩＤを対応付けた顧客情報をクラウドサーバ４１に送信する。その後、ステップＳ１０４に進む。
【００５０】
（ステップＳ１０４）クラウドサーバ４１の顧客情報取得部４１１は、電気機器１１から顧客情報を受信する。その後、ステップＳ１０５に進む。
（ステップＳ１０５）クラウドサーバ４１の起動判定部４１２は、データ記憶部４１６に記憶された顧客データを参照し、受信された顧客情報に含まれる顧客ＩＤに対応する電力会社ＩＤを特定する。その後、ステップＳ１０６に進む。
（ステップＳ１０６）クラウドサーバ４１の起動判定部４１２は、特定した電力会社ＩＤと受信された顧客情報に含まれる電力会社ＩＤとを照合する。その後、ステップＳ１０７に進む。
（ステップＳ１０７）特定した電力会社ＩＤと受信された顧客情報に含まれる電力会社ＩＤの両者が合致（照合に成功）する場合（ステップＳ１０７  ＹＥＳ）、ステップＳ１０８に進む。特定した電力会社ＩＤと受信された顧客情報に含まれる電力会社ＩＤの両者が合致しない場合（ステップＳ１０７  ＮＯ）、ステップＳ１１０に進む。
【００５１】
（ステップＳ１０８）クラウドサーバ４１の起動判定部４１２は、特定した電力会社ＩＤが示す電力会社から機器ＩＤが示す電気機器１１への電力供給を許可すると判定し、その電力会社からの電力供給の許可を示す供給可否情報を電気機器１１に送信する。その後、ステップＳ１０９に進む。
（ステップＳ１０９）電気機器１１の切替部１１５は、クラウドサーバ４１から供給可否情報を受信し、配電網７１と機能部１１６との間を電気的に接続して、配電網７１からの電力の機能部１１６への供給を開始することにより、機能部１１６の動作を開始させる。その後、図８に示す処理を終了する。
（ステップＳ１１０）クラウドサーバ４１の起動判定部４１２は、特定した電力会社ＩＤが示す電力会社から機器ＩＤが示す電気機器１１への電力供給を制限すると判定し、その電力会社からの電力供給の制限を示す供給可否情報を電気機器１１に送信する。
電気機器１１の切替部１１５は、クラウドサーバ４１から供給可否情報を受信し、配電網７１と機能部１１６との間を電気的に絶縁し、機能部１１６の動作を停止したままとする。その後、図８に示す処理を終了する。
【００５２】
（電力量情報処理）
次に、本実施形態に係る電力量情報処理について説明する。
図９は、本実施形態に係る電力量情報処理を示すフローチャートである。
（ステップＳ２０１）スマートメーター３１は、ＨＧＷ３２の配下の第１ネットワーク５１に接続された電気機器１１の消費電力量を計測し、計測した消費電力量を示す電力量情報と顧客ＩＤを対応付けて予め定めた第１の時間間隔（例えば、３０分）でＨＥＭＳコントローラ２１に送信する。その後、ステップＳ２０２に進む。
【００５３】
（ステップＳ２０２）ＨＥＭＳコントローラ２１の電力量処理部２１２は、スマートメーター３１から電力量情報と機器ＩＤを第１の時間間隔で受信し、受信した電力量情報を機器ＩＤ毎にデータ記憶部４１６に記憶する。その後、ステップＳ２０３に進む。
（ステップＳ２０３）ＨＥＭＳコントローラ２１の電力量処理部２１２は、機器ＩＤ毎に記憶された消費電力量を累積して、その時点までの第２の時間間隔内に消費された消費電力量を算出する。電力量処理部２１２は、算出した消費電力量を示す電力量情報を、機器ＩＤ、電力会社ＩＤ及び顧客ＩＤと対応付けて第２の時間間隔で通信部２１４を介してクラウドサーバ４１に送信する。その後、ステップＳ２０４に進む。
【００５４】
（ステップＳ２０４）クラウドサーバ４１の電力量取得部４１３は、ＨＥＭＳコントローラ２１から機器ＩＤ、電力会社ＩＤ及び顧客ＩＤと対応付けて第２の時間間隔で消費電力量を受信する。電力量取得部４１３は、受信した消費電力量を機器ＩＤ毎に受信した消費電力量をデータ記憶部４１６に記憶する。その後、ステップＳ２０５に進む。
（ステップＳ２０５）クラウドサーバ４１の電力量取得部４１３は、機器ＩＤ毎に記憶された消費電力量を累積して、その時点までの第３の時間間隔内に消費された消費電力量を算出し、算出した消費電力量を示す電力量情報をデータ記憶部４１６に記憶する。その後、ステップＳ２０６に進む。
【００５５】
（ステップＳ２０６）クラウドサーバ４１の料金算出部４１４は、算出された消費電力量に基づいて、電力会社ＩＤに対応した料金体系を用いて顧客ＩＤ毎に使用料金を算出し、算出した使用料金を示す料金情報をデータ記憶部４１６に記憶する。その後、ステップＳ２０７に進む。
（ステップＳ２０７）クラウドサーバ４１のデータ提供部４１５は、電力会社ＩＤ毎に、ユーザＩＤ、機器ＩＤ、電力量情報、及び料金情報をデータ記憶部４１６から読み取る。データ提供部４１５は、読み取ったユーザＩＤ、機器ＩＤ、電力量情報及び料金情報を、通信部４１７を介して、その電力会社ＩＤが示す電力会社の電力会社サーバ４２に送信する。その後、図９に示す処理を終了する。
【００５６】
以上に説明したように、本実施形態に係る電気機器１１は、電力の供給条件（電力会社）を示す電力会社ＩＤを取得する読取部（供給条件取得部）１１２と、顧客を識別する顧客ＩＤを取得する識別情報取得部１１３と、顧客による使用に際し供給条件情報が示す供給条件で電力供給の可否を制御する切替部１１５と、を含んで構成される。
この構成により、電気機器１１毎に、読取部１１２（図２）に挿入されたカード１６（図３）に記憶された電力会社ＩＤが選択される。従って、電気機器１１毎に、所定の顧客に所定の供給条件で電力供給の有無が設定可能になるので、顧客に対してより柔軟な供給条件で電力を供給することができる。例えば、電気機器１１の電気機器１１の購入者に対して所定の電力会社からの電力を経済的に供給することができ、電気機器１１の販売促進を図ることができる。また、挿入されるカードを替えることにより他の電力会社ＩＤが選択可能になる。そのため、電気機器１１のユーザは、電気機器１１の使用に際し所望の供給条件を選択することができる。
【００５７】
また、電気機器１１は、電力会社ＩＤと顧客ＩＤを、電力会社ＩＤと顧客ＩＤに基づいて電力供給の可否を判定するクラウドサーバ（電力管理装置）４１に送信する顧客情報処理部１１１を備える。また、切替部１１５は、クラウドサーバ４１から電力供給の可否を示す供給可否情報を受信し、供給可否情報に基づいて電力供給の可否を制御する。
また、クラウドサーバ４１は、顧客を識別する顧客ＩＤ毎に電力の供給条件を示す電力会社ＩＤが対応付けられた顧客データを記憶するデータ記憶部４１６を備える。また、クラウドサーバ４１は、電気機器１１から受信した顧客ＩＤに対応する電力会社ＩＤを顧客データから選択し、選択した電力会社ＩＤと受信した電力会社ＩＤとを照合し、電気機器１１への電力会社ＩＤが示す電力会社による電力供給の可否を制御する起動判定部４１２を備える。
この構成により、クラウドサーバ４１に電力供給を許可する顧客と供給条件との関係を予め設定することで、電気機器１１には設定した関係に合致した供給条件で電力が供給可能になる。そのため、顧客毎に電力を供給可能な供給条件を柔軟に設定することができる。
【００５８】
（第２の実施形態）
次に、本発明の第２の実施形態について説明する。上述した実施形態と同一の構成については、同一の符号を付して説明を援用する。
図１０は、本実施形態に係る電力管理システム１Ａの構成を示す概略ブロック図である。
電力管理システム１Ａは、電気機器１１Ａ、ＨＥＭＳコントローラ２１、スマートメーター３１Ａ、ＨＧＷ３２、クラウドサーバ４１Ａ、及び電力会社サーバ４２を含んで構成される。
【００５９】
図１１は、本実施形態に係る電気機器１１Ａの構成を示す概略ブロック図である。
電気機器１１Ａは、顧客情報処理部１１１、読取部１１２、識別情報取得部１１３Ａ、通信部１１４、切替部１１５、機能部１１６及び起動判定部１１７Ａを備える。電気機器１１Ａは、その他に、図示しない制御部及び記憶部を備える。制御部は記憶部に記憶されたプログラムを実行することにより顧客情報処理部１１１、読取部１１２、識別情報取得部１１３Ａ、切替部１１５、及び起動判定部１１７Ａの全部又は一部の機能を実現する。
【００６０】
識別情報取得部１１３Ａは、スマートメーター３１Ａから顧客ＩＤと電力会社ＩＤを、通信部１１４を介して受信する。当該電力会社ＩＤは、後述するように、スマートメーター３１Ａがクラウドサーバ４１Ａから取得した電力会社ＩＤである。識別情報取得部１１３Ａは、受信した顧客ＩＤと電力会社ＩＤを起動判定部１１７Ａに出力し、受信した顧客ＩＤを顧客情報処理部１１１に出力する。
なお、顧客情報処理部１１１は、入力された電力会社ＩＤと記憶部から読み取った機器ＩＤを起動判定部１１７Ａに出力する。この時点では、顧客情報処理部１１１は、顧客情報の生成、送信をまだ行わない。
【００６１】
起動判定部１１７Ａには、顧客情報処理部１１１から電力会社ＩＤと機器ＩＤが入力され、識別情報取得部１１３Ａから顧客ＩＤと電力会社ＩＤが入力される。起動判定部１１７Ａは、顧客情報処理部１１１から入力された電力会社ＩＤと識別情報取得部１１３Ａから入力された電力会社ＩＤとが合致するか否かを判定する。合致すると判定したとき、起動判定部１１７Ａは、電力会社ＩＤが示す電力会社から機能部１１６への電力供給を許可すると判定し、その電力会社から機能部１１６への電力供給を制限すると判定する。起動判定部１１７Ａは、その電力会社からの機能部１１６への電力供給の許可又は制限を示す供給可否情報を切替部１１５に出力する。
また、起動判定部１１７Ａは、機能部１１６への電力供給を許可すると判定した場合には、顧客情報処理部１１１に顧客情報の生成、送信を指示する。その後、顧客情報処理部１１１は、電力供給が許可された顧客に係る顧客情報を生成し、生成した顧客情報をクラウドサーバ４１Ａに送信する。
【００６２】
（スマートメーター）
次に、本実施形態に係るスマートメーター３１Ａの構成について説明する。
図１２は、本実施形態に係るスマートメーター３１Ａの構成を示す概略ブロック図である。
スマートメーター３１Ａは、電力量処理部３１１Ａ、電力会社情報処理部３１２Ａ、通信部３１３Ａ、電力量計測部３１４Ａ、図示しない制御部及び記憶部を備える。制御部は記憶部に記憶されたプログラムを実行することにより電力量処理部３１１Ａ、及び電力会社情報処理部３１２Ａの全部又は一部の機能を実現する。
【００６３】
電力量処理部３１１Ａは、電力量計測部３１４Ａから入力された電力量情報と、予め自装置に設定された顧客ＩＤを対応付けて、第１の時間間隔でＨＥＭＳコントローラ２１に通信部３１３Ａを介して送信する。また、電力量処理部３１１Ａは、顧客ＩＤを消費電力量の計測対象である電気機器１１Ａに通信部３１３Ａを介して送信する。
【００６４】
電力会社情報処理部３１２Ａは、顧客ＩＤと対応付けられた電力会社ＩＤを、通信部３１３Ａを介してクラウドサーバ４１Ａから受信する。電力会社情報処理部３１２Ａは、電力会社ＩＤの受信に先立ち、顧客ＩＤと対応付けられた電力会社ＩＤの要求を示す電力会社ＩＤ要求情報を、通信部３１３Ａを介してクラウドサーバ４１Ａに送信してもよい。クラウドサーバ４１Ａの顧客情報取得部４１１Ａ（後述）は、電力会社ＩＤ要求情報を受信したことに応じて、電力会社ＩＤ要求情報が示す顧客ＩＤと対応付けられた電力会社ＩＤをスマートメーター３１Ａに送信する。
【００６５】
通信部３１３Ａは、他の機器との間でデータを送信ならびに受信する。通信部１１４は、例えば、通信インタフェースである。
電力量計測部３１４Ａは、第１ネットワーク５１に接続された電気機器１１の消費電力量を計測し、計測した消費電力量を示す電力量情報と顧客ＩＤを対応付けて第１の時間間隔で通信部３１３Ａを介してＨＥＭＳコントローラ２１に送信する。
【００６６】
（クラウドサーバ）
次に、本実施形態に係るクラウドサーバ４１Ａの構成について説明する。
図１３は、本実施形態に係るクラウドサーバ４１Ａの構成を示す概略ブロック図である。
クラウドサーバ４１Ａは、顧客情報取得部４１１Ａ、電力量取得部４１３、料金算出部４１４、データ提供部４１５、通信部４１７、図示しない制御部及び記憶部を備える。制御部は、記憶部に記憶されたプログラムを実行することにより顧客情報取得部４１１Ａ、電力量取得部４１３、料金算出部４１４、及びデータ提供部４１５の全部又は一部の機能を実現する。
【００６７】
顧客情報取得部４１１Ａは、電気機器１１Ａから顧客情報を受信し、受信した顧客情報が示す機器ＩＤを、顧客ＩＤ及び電力会社ＩＤに対応付けてデータ記憶部４１６に記憶される。これにより、電力が供給され、消費電力量の計測対象となる電気機器１１Ａの機器ＩＤが知得される。
また、顧客情報取得部４１１Ａは、顧客ＩＤと対応する電力会社ＩＤをデータ記憶部４１６に記憶された顧客データから読み取り、読み取った電力会社ＩＤを顧客ＩＤに係るスマートメーター３１Ａに通信部４１７を介して送信する。
なお、顧客情報取得部４１１Ａは、通信部４１７を介してスマートメーター３１Ａから
電力会社ＩＤ要求情報を受信した場合に、電力会社ＩＤ要求情報が示す顧客ＩＤと対応付けられた電力会社ＩＤの読み取り、送信を行ってもよい。
【００６８】
（顧客情報処理）
次に、本実施形態に係る顧客情報処理について説明する。
図１４は、本実施形態に係る顧客情報処理を示すフローチャートである。
図１４に示す処理は、ステップＳ１０１、Ｓ１０２、Ｓ３０３、Ｓ３０６−Ｓ３１１を有する。
図１４に示す処理では、ステップＳ１０１、Ｓ１０２（図８）の処理が終了した後、ステップＳ３０３に進む。
【００６９】
（ステップＳ３０３）スマートメーター３１Ａの電力会社情報処理部３１２Ａは、顧客ＩＤと対応付けられた電力会社ＩＤをクラウドサーバ４１Ａから受信し、受信した電力会社ＩＤと顧客ＩＤを電気機器１１に送信する。
電気機器１１の識別情報取得部１１３Ａは、スマートメーター３１Ａから電力会社ＩＤと顧客ＩＤを受信する。その後、ステップＳ３０６に進む。
【００７０】
（ステップＳ３０６）起動判定部１１７Ａは、カードから読み取った電力会社ＩＤと受信された電力会社ＩＤとを照合する。その後、ステップＳ３０７に進む。
（ステップＳ３０７）読み取った電力会社ＩＤと受信された電力会社ＩＤの両者が合致する場合（ステップＳ３０７  ＹＥＳ）、ステップＳ３０８に進む。読み取った電力会社ＩＤと受信された電力会社ＩＤの両者が合致しない場合（ステップＳ３０７  ＮＯ）、ステップＳ３１１に進む。
【００７１】
（ステップＳ３０８）起動判定部１１７Ａは、特定した電力会社ＩＤが示す電力会社から機能部１１６への電力供給を許可すると判定する。その後、ステップＳ３０９に進む。
（ステップＳ３０９）切替部１１５は、配電網７１と機能部１１６との間を電気的に接続して、配電網７１からの電力の機能部１１６への供給を開始することにより、機能部１１６の動作を開始させる。その後、ステップＳ３１０に進む。
（ステップＳ３１０）顧客情報処理部１１１は、受信した顧客ＩＤ、読み取った顧客ＩＤ、及び機器ＩＤを対応付けた顧客情報をクラウドサーバ４１Ａに送信する。その後、図１４に示す処理を終了する。
【００７２】
（ステップＳ３１１）起動判定部１１７Ａは、特定した電力会社ＩＤが示す電力会社から機能部１１６への電力供給を制限すると判定する。
切替部１１５は、配電網７１と機能部１１６との間を電気的に絶縁し、機能部１１６の動作を停止したままとする。その後、図１４に示す処理を終了する。
【００７３】
以上に説明したように、本実施形態に係る電気機器１１Ａにおいて、識別情報取得部１１３Ａは、消費電力量を計測するスマートメーター３１Ａから顧客ＩＤに対応した電力会社ＩＤを取得する。また、電気機器１１Ａは、読取部１１２が取得した電力会社ＩＤと識別情報取得部１１３Ａが取得した供給条件情報とを照合して電力供給の可否を判定する起動判定部１１７Ａを備える。
この構成により、電気機器１１Ａ毎に、所定の顧客に所定の供給条件で電力供給の有無が設定可能になるので、顧客に対してより柔軟な供給条件で電力を供給することができる。また、消費電力量を計測するスマートメーター３１Ａに電力供給を許可する顧客と供給条件との関係を予め取得させておくことで、電気機器１１には設定した関係に合致した供給条件で電力が供給可能になる。そのため、顧客毎に電力を供給可能な供給条件を柔軟に設定することができる。
【００７４】
（第３の実施形態）
次に、本発明の第３の実施形態について説明する。上述した実施形態と同一の構成については、同一の符号を付して説明を援用する。
図１５は、本実施形態に係る電力管理システム１Ｂの構成を示すブロック図である。
電力管理システム１Ｂは、電気機器１１Ｂ、ＨＥＭＳコントローラ２１、スマートメーター３１Ｂ、スマートメーター３１Ｂ’、ＨＧＷ３２、クラウドサーバ４１、及び電力会社サーバ４２を含んで構成される。
【００７５】
スマートメーター３１Ｂ（親機）は、スマートメーター３１Ｂ’（子機）から受信した電力量情報とそのスマートメーターＩＤ（後述）のセットを受信し、受信したセットを集約する。スマートメーター３１Ｂは、集約したセットを予め設定された自機の顧客ＩＤと対応付けて第１の時間間隔でＨＥＭＳコントローラ２１に送信する。なお、スマートメーター３１Ｂは、自機に接続された電力線から電力が直接供給される電気機器の消費電力量を計測し、計測した消費電力量を示す電力量情報を自機の顧客ＩＤと対応付けてＨＥＭＳコントローラ２１に送信してもよい。
スマートメーター３１Ｂは、スマートメーター３１Ｂ’から受信したスマートメーターＩＤを自機の顧客ＩＤに対応付けて、スマートメーター３１Ｂ’が電力量を測定する電力線に接続された電気機器１１Ｂに送信する。
【００７６】
スマートメーター３１Ｂ’（子機）は、自機の配下の配電網７１で電力が供給される電気機器１１Ｂの消費電力量を計測する。スマートメーター３１Ｂ’は、計測した消費電力量を示す電力量情報を自機の機器識別情報であるスマートメーターＩＤと対応付けてスマートメーター３１Ｂ（親機）に送信する。
【００７７】
図１６は、本実施形態に係る電気機器１１Ｂの構成を示す概略ブロック図である。
電気機器１１Ｂは、顧客情報処理部１１１、読取部１１２、識別情報取得部１１３Ｂ、通信部１１４、切替部１１５、機能部１１６、図示しない制御部及び記憶部を備える。制御部は、記憶部に記憶されたプログラムを実行することにより顧客情報処理部１１１、読取部１１２、識別情報取得部１１３Ｂ、及び切替部１１５の全部又は一部の機能を実現する。
【００７８】
識別情報取得部１１３Ｂは、スマートメーター３１Ｂから顧客ＩＤと、スマートメーター３１Ｂ’のスマートメーターＩＤを対応付けて受信し、受信した顧客ＩＤとスマートメーターＩＤを対応付けて顧客情報処理部１１１に出力する。
受信したスマートメーターＩＤは、電気機器１１Ｂにおいて顧客ＩＤと対応付けて処理される。例えば、顧客情報処理部１１１は、機器ＩＤ、電力会社ＩＤ、顧客ＩＤ、及びスマートメーターＩＤを対応付けて顧客情報を生成し、生成した顧客情報をクラウドサーバ４１に送信する。
【００７９】
これに対し、クラウドサーバ４１の顧客情報取得部４１１は、電気機器１１Ｂから受信した顧客情報から顧客ＩＤ、スマートメーターＩＤ及び機器ＩＤを抽出する。顧客情報取得部４１１は、データ記憶部４１６に記憶された顧客ＩＤと機器ＩＤに対応付けて抽出したスマートメーターＩＤを記憶して、顧客データを形成もしくは更新する。
【００８０】
また、ＨＥＭＳコントローラ２１の電力量処理部２１２は、スマートメーター３１Ｂから機器毎の電力量情報と機器ＩＤを、その機器に電力を供給するスマートメーター３１Ｂ’のスマートメーターＩＤと顧客ＩＤとを対応付けて受信する。また、電力量処理部２１２は、生成した電力量情報を、機器ＩＤ、電力会社ＩＤ、スマートメーターＩＤ、及び顧客ＩＤを対応付けてクラウドサーバ４１に送信する。
【００８１】
これに対し、クラウドサーバ４１の電力量取得部４１３は、ＨＥＭＳコントローラ２１から機器ＩＤ、電力会社ＩＤ、顧客ＩＤ及びスマートメーターＩＤと対応付けて電力量情報を受信し、データ記憶部４１６に記憶する。データ記憶部４１６には、電力量情報が顧客ＩＤ毎に、顧客ＩＤがそれぞれ示すスマートメーター３１Ｂとその下位の階層のスマートメーター３１Ｂ’を示すスマートメーターＩＤが対応付けられる。また、スマートメーターＩＤには、そのスマートメーター３１Ｂ’が消費電力量を計測する電気機器１２Ｂの機器ＩＤならびに電気機器１２Ｂに電力を供給する電力会社ＩＤが対応付けられる。
【００８２】
次に、顧客データの一例について説明する。
図１７は、顧客データの一例を示す模式図である。
顧客データは、顧客ＩＤ、スマートメーターＩＤ、機器ＩＤ、電力会社ＩＤ、及び電力量情報を含んで構成される。顧客ＩＤは、１つ又は複数のスマートメーターＩＤに対応付けられ、スマートメーターＩＤのそれぞれは、１つ又は複数の機器ＩＤ、電力会社ＩＤ、及び電力量情報のセットに対応付けられる。
図１７に示す例では、顧客ＩＤ１は、スマートメーターＩＤ１１、スマートメーターＩＤ１２に対応付けられている。スマートメーターＩＤ１１は、機器ＩＤ１１、電力会社ＩＤ１１及び消費電力量１１に対応付けられている。スマートメーターＩＤ１２は、機器ＩＤ１２、電力会社ＩＤ１２及び消費電力量１２に対応付けられている。
【００８３】
そして、クラウドサーバ４１の料金算出部４１４は、上述したように、機器ＩＤが示す電気機器毎に使用料金を算出する。料金算出部４１４は、算出した使用料金を示す料金情報を、スマートメーターＩＤに対応付けられた機器ＩＤ及び電力会社ＩＤと対応付けてデータ記憶部４１６に記憶してもよい。データ記憶部４１６には、これらの情報を含む顧客管理データが形成される。
【００８４】
（顧客管理データ）
次に、顧客管理データの例について説明する。
図１８は、顧客管理データの一例を示す模式図である。
顧客データは、顧客ＩＤ、スマートメーターＩＤ、機器ＩＤ、電力会社ＩＤ、電力量情報、料金情報、及び制限機能情報を含んで構成される。
各顧客ＩＤには、１つ又は複数のスマートメーターＩＤが対応付けられている。各スマートメーターＩＤには、１つ又は複数の機器ＩＤ、電力会社ＩＤ、電力量情報、料金情報、及び制限機能情報を含む情報のセットが対応付けられている。
図１８に示す例では、顧客ＩＤ１は、スマートメーターＩＤ１１、スマートメーターＩＤ１２に対応付けられている。スマートメーターＩＤ１１は、機器ＩＤ１１、電力会社ＩＤ１１、消費電力量１１、使用料金１１、及び制限機能１１のセットと、機器ＩＤ１２、電力会社ＩＤ１２、消費電力量１２、使用料金１２、及び制限機能１２のセットに対応付けられている。
【００８５】
なお、スマートメーター３１Ｂ（図１５）のように、スマートメーターが計測対象の電気機器を有していない場合には、顧客データもしくは顧客管理データにおいて、そのスマートメーターＩＤは機器ＩＤ、電力会社ＩＤ及び電力量情報のセットに対応付けられていなくてもよい。また、スマートメーター３１Ｂ、３１Ｂ’（図１５）に示すように、あるスマートメーターが他のスマートメーターに接続されている場合には、あるスマートメーターのスマートメーターＩＤは、他のスマートメーターのスマートメーターＩＤと対応付けられてもよい。
【００８６】
なお、料金算出部４１４は、顧客データを参照して使用料金をスマートメーターＩＤ毎に算出し、算出した使用料金が示す料金情報をスマートメーターＩＤと対応付けて顧客管理データを形成してもよい。これにより、スマートメーターＩＤが消費電力量を計測した機器群毎の使用料金が算出される。そして、データ提供部４１５は、顧客管理データを参照して電力会社ＩＤならびにスマートメーターＩＤ毎に機器ＩＤ、電力量情報及び料金情報を抽出し、抽出した電力会社ＩＤが示す電力会社の電力会社サーバ４２に送信してもよい。
【００８７】
以上に説明したように、本実施形態に係る電気機器１１Ｂにおいて、識別情報取得部１１３Ｂは、自機の消費電力量を計測するスマートメーター３１Ｂ’を示すスマートメーターＩＤを取得する。また、電気機器１１Ｂは、スマートメーター３１Ｂ’を示すスマートメーターＩＤを顧客ＩＤと対応付けてクラウドサーバ４１に送信する顧客情報処理部１１１を備える。
また、クラウドサーバ４１において、電力量取得部４１３は、電気機器１１Ｂの消費電力量を計測するスマートメーター３１Ｂ’を示すスマートメーターＩＤと対応付けて計測された消費電力量を示す電力量情報をデータ記憶部４１６に記憶する。
この構成により、クラウドサーバ４１は、電気機器１１Ｂの消費電力量を計測するスマートメーター３１Ｂ’が計測した電力量情報を単位（例えば、電力線、電源プラグの差し込み口）とした処理、例えば、使用料金の算出、電力会社への通知、等が可能になる。  
【００８８】
（第４の実施形態）
次に、本発明の第４の実施形態について説明する。上述した実施形態と同一の構成については、同一の符号を付して説明を援用する。
図１９は、本実施形態に係る電力管理システム１Ｃの構成を示すブロック図である。
電力管理システム１Ｃは、電気機器１１、ＨＥＭＳコントローラ２１、スマートメーター３１、ＨＧＷ３２、分電盤３３Ｃ、クラウドサーバ４１、及び電力会社サーバ４２を含んで構成される。
【００８９】
電気機器１１、ＨＥＭＳコントローラ２１、スマートメーター３１、及びＨＧＷ３２、は、第１ネットワーク５１Ｃを介して相互にデータを送信及び受信することができる。
第１ネットワーク５１Ｃは、分電盤３３Ｃから電力を電気機器１１、ＨＥＭＳコントローラ２１、スマートメーター３１、及びＨＧＷ３２に供給する電力線を用いてデータを伝送することによって電力線搬送通信（ＰＬＣ：Ｐｏｗｅｒ  Ｌｉｎｅ  Ｃｏｍｍｕｎｉｃａｔｉｏｎ）を実現する。
【００９０】
電気機器１１の通信部１１４（図２）、ＨＥＭＳコントローラの通信部２１４（図４）、スマートメーター３１の通信部（図示せず）、及びＨＧＷ３２の通信部（図示せず）は、電源プラグが接続されたときに、それぞれ第１ネットワーク５１Ｃに電気的に接続される。前述の各通信部は、第１ネットワーク５１Ｃを介して所定の通信規格（例えば、ＩＥＥＥ１９０１）を用いてデータを送受信する。
【００９１】
以上に説明したように、本実施形態では、第１ネットワーク５１Ｃは、電気機器１１、ＨＥＭＳコントローラ、スマートメーター３１、及びＨＧＷ３２のそれぞれに電力を供給する電力線を伝送媒体として種々のデータを伝送する。
この構成により、電力線が通信回線としても利用されるので、宅内において各機器の電源プラグを電力線に接続することで通信が可能になり、配線を簡素化することができる。
【００９２】
以上、本発明の実施形態について、図面を参照して説明してきたが、具体的な構成はこの実施形態に限定されるものではなく、本発明の趣旨を逸脱しない範囲においての種々の変更も含まれる。
例えば、上述した実施形態では、電力の供給条件が電力事業者（電力会社）である場合を例にしたが、これには限られず、その他の要件、例えば、料金体系、契約電圧、契約電流、等のいずれか、もしくは、それらの組み合わせであってもよい。
また、上述した実施形態では、起動判定部４１２、１１７Ａは、電気機器１１、１１Ａ、１１Ｂの主たる機能を実現する機能部１１６に電力を供給するか否かを判定する場合を例にしたが、これには限られない。起動判定部４１２、１１７Ａは、電力の供給条件に応じて、それぞれ異なる機能を実現する複数の機能部（図示せず）のいずれか又は組み合わせを選択してもよい。
また、第２の実施形態に係るスマートメーターＩＤは、電力の供給条件と対応付けられていてもよい。その場合、クラウドサーバ４１Ａは、電気機器１１Ａの消費電力量を計測するスマートメーター３１Ａが、その電力線により電力が供給される他の電気機器についても電力の供給の可否を判定する起動判定部（図示せず）を備えてもよい。
【００９３】
上述した実施形態では、読取部１１２がカード１６に記憶された電力会社ＩＤを読み取る場合を例にしたが、ユーザによる電気機器１１、１１Ａ、１１Ｂの使用に際して供給条件を取得可能であれば、これには限られない。例えば、読取部１１２は、電気機器１１、１１Ａ、１１Ｂの記憶部に予め記憶された電力会社ＩＤ、その他の供給条件情報を読み取るようにしてもよい。また、読取部１１２は、電気機器１１、１１Ａ、１１Ｂの電源プラグや、変換プラグに装着された記憶媒体に予め記憶された供給条件情報を読み取るようにしてもよいし、カード１６を電気機器１１、１１Ａ、１１Ｂの電源プラグや、変換プラグ、または、電源プラグの差込口に挿入されたとき、そこから供給条件情報を読み取るようにしてもよい。他の形態として、電気機器１１、１１Ａ、１１Ｂは、ユーザによる操作入力を受け付け、電力会社ＩＤ、その他の供給条件情報を顧客情報処理部１１１に出力する操作入力部を備えるようにしてもよい。当該操作入力部は、操作パネルであってもよい。また、電気機器１１、１１Ａ、１１Ｂの顧客情報処理部１１１は、通信部１１４と有線あるいは無線でデータを送受信可能な端末装置、例えば、ユーザが所持する携帯端末装置から供給条件情報を受信してもよい。
【００９４】
上述した実施形態では、電気機器１１、１１Ａ、１１Ｂとクラウドサーバ４１、４１Ａとの各種データの送受信が、ＨＧＷ３２を経由して行われる場合を例にしたが、これには限られない。電気機器１１、１１Ａ、１１Ｂとクラウドサーバ４１、４１Ａとの各種データの送受信は、ＨＥＭＳコントローラ２１とＨＧＷ３２の両者を経由して行われてもよい。
また、電気機器１１、１１Ａ、１１Ｂの読取部１１２は、カード１６の装着を検出し、カード１６が装着される都度、供給条件情報を読み取るようにしてもよい。切替部１１５は、その都度、読み取られた供給条件情報に基づいて受信電力の供給を行うか否かを制御する。
また、上述した実施形態では、クラウドサーバ４１の起動判定部４１２が電気機器１１から受信した供給条件情報と、データ記憶部４１６から読み取った供給条件情報とを照合し、その直後に電力供給を許可するか否かを判定する場合を例にした。起動判定部４１２が、電力供給を許可するか否かを判定するタイミングは、これには限られず、供給条件情報の受信後における任意に設定されたタイミングであってもよい。また、クラウドサーバ４１には、不特定多数の電気機器１１から供給条件情報を受信する可能性があるが、起動判定部４１２は、予め設定された第４の時間間隔（例えば、１箇月）で電力供給を許可するか否かを判定してもよい。クラウドサーバ４１には、電力供給を許可するか否かを判定するタイミングを制限することで、電力会社は、設備の維持管理や使用料金の収納にかかる業務を行う時期を制限し、業務に係るリソースを有効に活用することができる。
【００９５】
なお、カード１６には、供給条件情報とカード１６自体を識別するカード識別情報とが記憶されてもよい。読取部１１２は、カード１６が挿入されたことを検出し、カード１６から供給条件情報の他、カード識別情報をカード１６から読み取る。カード１６は、読み取ったカード識別情報を記憶し、読み取ったカード識別情報と過去に記憶したカード識別情報と照合する。読取部１１２は、過去に記憶したカード識別情報のうち、カード１６から読み取ったカード識別情報と合致するカード識別情報がある場合には、読み取った供給条件情報を顧客情報処理部１１１に出力しない。これにより、電力供給を許可するか否かを判定がなされなくなるので、使用実績があるカード１６の利用を制限することができる。なお、読取部１１２は、カード１６から読み取ったカード識別情報と合致するカード識別情報があると判定した回数を計数し、計数した回数が所定の回数の閾値以下であるとき読み取った供給条件情報を顧客情報処理部１１１に出力してもよい。その場合には、読取部１１２は、計数した回数が、所定の回数の閾値を超えたときに読み取った供給条件情報を顧客情報処理部１１１に出力しない。これにより、所定の回数までカード１６の利用が許容される。
【００９６】
また、上述した実施形態に係る構成は、相互に組み合わされてもよい。例えば、第３の実施形態に係る電気機器１１Ｂは、識別情報取得部１１３Ｂにおいて、第２の実施形態と同様にスマートメーター３１Ｂ’からスマートメーターＩＤと電力会社ＩＤを、通信部１１４を介して受信してもよい。その場合、クラウドサーバ４１は、起動判定部４１２が省略されてもよく、顧客情報取得部４１１は、スマートメーターＩＤと対応する電力会社ＩＤをデータ記憶部４１６に記憶された顧客データから読み取り、読み取った電力会社ＩＤをスマートメーター３１Ｂ’に送信してもよい。
また、電力管理システム１Ａ、１Ｂにおいて、第１ネットワーク５１に代えて第１ネットワーク５１Ｃが用いられてもよい。
【００９７】
また、電気機器１１Ａの識別情報取得部１１３Ａは、自機の電源プラグの形状と、電力線の差し込み口の形状とが合致しているか否かを判定し、予め記憶部に記憶した供給条件テーブルを参照して、判定した電源プラグに対応する供給条件情報を取得してもよい。ここで、電源プラグの全体が差し込み口に物理的に挿入可能であって、操作なしに着脱できない場合、識別情報取得部１１３Ａは、差し込み口と電気的に接続されているときに、両者の形状とが合致していると判定することができる。
また、スマートメーター３１Ａは、第１ネットワーク５１Ｃに接続されているか否かに関わらず、電力量の計測対象となる電力線を介して供給条件情報を送信してもよい。これに対して、電気機器１１Ａの識別情報取得部１１３Ａは、自機の電源プラグが、電力線の差し込み口に接続されているとき、スマートメーター３１Ａから供給条件情報を受信してもよい。そして、電気機器１１Ａは、ステップＳ３０６−Ｓ３１１の処理を行う。これにより、電源プラグを電力線に接続するという簡素な操作により、電力供給の可否を判定するための手がかりを得ることができる。
【００９８】
また、上述した電気機器１１、１１Ａ、１１Ｂは、ＨＥＭＳコントローラ２１と一体化されていてもよい。即ち、電気機器１１、１１Ａ、１１Ｂは、機器設定部２１１及び電力量処理部２１２を備えてもよい。
また、電力会社サーバ４２は、電力量情報と料金体系に基づいて使用料金を算出する料金算出部を備えてもよい。その場合には、クラウドサーバ４１、４１Ａにおいて料金算出部４１４が省略可能であり、データ記憶部４１６において顧客管理データが省略可能である。
また、クラウドサーバ４１は、電力会社サーバ４２の少なくとも１台と一体化されていてもよい。即ち、電気機器１１、１１Ａ、１１Ｂは、機器設定部２１１及び電力量処理部２１２を備えてもよい。
【００９９】
なお、電気機器１１、１１Ａ、１１Ｂ、クラウドサーバ４１Ａそれぞれの各構成要素による処理を実現するためのプログラムを、コンピュータ読み取り可能な記録媒体に記録して、当該記録媒体に記録されたプログラムをコンピュータシステムに読み込ませ、実行することにより、本実施形態の電力管理システムに係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１００】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現するもの、いわゆる差分ファイル（差分プログラム）であってもよい。
【符号の説明】
【０１０１】
１、１Ａ、１Ｂ、１Ｃ…電力管理システム、１１、１１Ａ、１１Ｂ…電気機器、１１１…顧客情報処理部、１１２…読取部、１１３、１１３Ａ、１１３Ｂ…識別情報取得部、１１４…通信部、１１５…切替部、１１６…機能部、１１７Ａ…起動判定部、２１…ＨＥＭＳコントローラ、２１１…機器設定部、２１２…電力量処理部、２１３…データ記憶部、２１４…通信部、３１、３１Ａ、３１Ｂ、３１Ｂ’…スマートメーター、３１１Ａ…電力量処理部、３１２Ａ…電力会社情報処理部、３１３Ａ…通信部、３１４Ａ…電力量計測部、３２…ＨＧＷ、３３Ｃ…分電盤、４１、４１Ａ…クラウドサーバ、４１１、４１１Ａ…顧客情報取得部、４１２…起動判定部、４１３…電力量取得部、４１４…料金算出部、４１５…データ提供部、４１６…データ記憶部、４１７…通信部、４２…電力会社サーバ、５１、５１Ｃ…第１ネットワーク、６１…第２ネットワーク、７１…配電網
【図１】
2016081070.tif 000003
【図２】
2016081070.tif 000004
【図３】
2016081070.tif 000005
【図４】
2016081070.tif 000006
【図５】
2016081070.tif 000007
【図６】
2016081070.tif 000008
【図７】
2016081070.tif 000009
【図８】
2016081070.tif 000010
【図９】
2016081070.tif 000011
【図１０】
2016081070.tif 000012
【図１１】
2016081070.tif 000013
【図１２】
2016081070.tif 000014
【図１３】
2016081070.tif 000015
【図１４】
2016081070.tif 000016
【図１５】
2016081070.tif 000017
【図１６】
2016081070.tif 000018
【図１７】
2016081070.tif 000019
【図１８】
2016081070.tif 000020
【図１９】
2016081070.tif 000021